(57)【要約】【課題】  RFIDを備えるマルチメディアA/V放送モジュールを提供する。【解決手段】  RFIDマルチメディアA/V放送モジュール100において、第一マルチメディア立体模型110の第一RFIDタグ111の内には第一マルチメディア放送シリアルデータが格納され、マルチメディアA/V装置120はRFID読み取り機121、マルチメディアデータ処理ユニット122及び放送ユニット123を有し、RFID読み取り機121は第一マルチメディア放送シリアルデータを読み取ってマルチメディアデータ処理ユニット122に伝送する。マルチメディアデータ処理ユニット122は、第一マルチメディア放送シリアルデータを検索し、それと対応する第一マルチメディアデータを検出して放送ユニット123に伝送し、放送ユニット123は受信した第一マルチメディアデータを放送する。【選択図】  図１
0003154794.tif 000002
【実用新案登録請求の範囲】
【請求項１】
少なくとも１つの第一マルチメディア立体模型と1つのマルチメディアA/V装置を含み、前記第一マルチメディア立体模型は１つの第一RFIDタグを有し、前記第一RFIDタグの内に１つの第一マルチメディア放送シリアルデータが格納され、前記マルチメディアA/V装置は１つのRFID読み取り機、１つのマルチメディアデータ処理ユニット及び１つの放送ユニットを有し、前記RFID読み取り機は前記第一マルチメディア放送シリアルデータを読み取って前記マルチメディアデータ処理ユニットに伝送し、前記マルチメディアデータ処理ユニットは受信した第一マルチメディア放送シリアルデータと対応する1つの第一マルチメディアデータを格納し、ここで、前記マルチメディアデータ処理ユニットは受信した第一マルチメディア放送シリアルデータを検索しそれと対応する前記第一マルチメディアデータを検出して前記放送ユニットに伝送し、そして、前記放送ユニットは受信した第一マルチメディアデータを放送することを特徴とするRFIDマルチメディアA/V放送モジュール。
【請求項２】
前記マルチメディアA/V装置は更に１つの記録ユニットを有し、この記録ユニットは１つの第二マルチメディアデータを記録することができ、前記マルチメディアデータ処理ユニットはこの第二マルチメディアデータを格納することを特徴とする請求項１記載のRFIDマルチメディアA/V放送モジュール。
【請求項３】
前記RFIDマルチメディアA/V放送モジュールはさらに１つの第二マルチメディア立体模型を含み、この第二マルチメディア立体模型は１つの第二RFIDタグを有し、この第二RFIDタグは１つの第二マルチメディア放送シリアルデータを有し、前記RFID読み取り機はこの第二マルチメディア放送シリアルデータを読み取って前記マルチメディアデータ処理ユニットに伝送し、前記マルチメディアデータ処理ユニットは受信した第二マルチメディア放送シリアルデータを検索しそれと対応する前記第二マルチメディアデータを検出して前記放送ユニットに伝送し、そして、前記放送ユニットは受信した第二マルチメディアデータを放送することを特徴とする請求項２記載のRFIDマルチメディアA/V放送モジュール。
【請求項４】
前記記録ユニットは、マイク、録音装置、カメラ、録画装置などを含むことを特徴とする請求項２記載のRFIDマルチメディアA/V放送モジュール。
【請求項５】
前記第一マルチメディアデータと前記第二マルチメディアデータは、映像、写真または音声などのマルチメディアデータになってもよいことを特徴とする請求項２記載のRFIDマルチメディアA/V放送モジュール。
【請求項６】
前記記録ユニットは、１つの映像ディスプレイ装置になってもよいことを特徴とする請求項１記載のRFIDマルチメディアA/V放送モジュール。
【請求項７】
前記記録ユニットは、１つのスピーカになってもよいことを特徴とする請求項１記載のRFIDマルチメディアA/V放送モジュール。
【請求項８】
前記マルチメディアA/V装置は、さらに１つの発光ダイオード(LED)を有することを特徴とする請求項１記載のRFIDマルチメディアA/V放送モジュール。
【考案の詳細な説明】
【技術分野】
【０００１】
本考案は、一種のマルチメディアA/V(Audio/Video)放送モジュールに関し、特にRFIDを備えるマルチメディアA/V放送モジュールに関するものである。
【背景技術】
【０００２】
周知のマルチメディアA/V放送モジュールにおいて、映像、写真または音声等のマルチメディアデータが外部記憶媒体の内(例えばCD、DVD、MD)に格納され、これらの記憶媒体はマルチメディアA/V放送装置内に置かれ、マルチメディアA/V放送装置により読み取られて放送を可能となる。しかし、マルチメディア放送装置は記憶媒体と直接に接触してデータを読み取ることが必要となり、かつ、記憶媒体の交換はマルチメディア放送装置でしなければいけないのでかなり不便となっている。
【考案の概要】
【考案が解決しようとする課題】
【０００３】
本考案は、上記問題点を解消する為に成されたものであり、RFIDを備えるマルチメディアA/V放送モジュールを提供する事を目的とするものである。
【課題を解決するための手段】
【０００４】
本考案の主な目的は、一種のRFIDマルチメディアA/V放送モジュールを提供し、このA/V放送モジュールは、少なくとも1つの第一マルチメディア立体模型と1つのマルチメディアA/V装置を含む。第一マルチメディア立体模型は1つの第一RFIDタグ(Radio
Frequency Identification Tag)を有し、第一RFIDタグの内は1つの第一マルチメディア放送シリアルデータを格納する。マルチメディアA/V装置は1つのRFID読み取り機、1つのマルチメディアデータ処理ユニット及び1つの放送ユニットを有する。RFID読み取り機は第一マルチメディア放送シリアルデータを読み取ってマルチメディアデータ処理ユニットに伝送する。マルチメディアデータ処理ユニットは、第一マルチメディア放送シリアルデータと対応する1つの第一マルチメディアデータを格納し、且つ、第一マルチメディア放送シリアルデータを検索しそれと対応する第一マルチメディアデータを検出して放送ユニットに伝送する。放送ユニットは受信した第一マルチメディアデータを放送する。一方、第一マルチメディア立体模型の第一RFIDタグの内には第一マルチメディア放送シリアルデータが格納されるので、マルチメディアA/V装置はRFID読み取り機を介し第一マルチメディア放送シリアルデータを読み取り、さらにマルチメディアデータ処理ユニットは第一マルチメディア放送シリアルデータと対応する第一マルチメディアデータを検出して放送ユニットに放送させる。
【０００５】
本考案のもう1つの目的は、一種のRFIDマルチメディアA/V放送モジュールを提供し、このA/V放送モジュールは、少なくとも1つの第二マルチメディア立体模型を有し、第二マルチメディア立体模型は1つの第二RFIDタグを有し、第二RFIDタグは1つの第二マルチメディア放送シリアルデータを有する。また、上記マルチメディアA/V装置はさらに1つの記録ユニットを有し、記録ユニットは1つの第二マルチメディアデータを記録することができ、この第二マルチメディアデータはマルチメディアデータ処理ユニットに格納されることができる。RFID読み取り機は第二マルチメディア放送シリアルデータを読み取ってマルチメディアデータ処理ユニットに伝送し、マルチメディアデータ処理ユニットは受信した第二マルチメディア放送シリアルデータを検索しそれと対応する第二マルチメディアデータを検出して放送ユニットに伝送する。ここで、第二マルチメディアデータはユーザーの自己記録したマルチメディアデータであり、放送ユニットに伝送され、放送ユニットに放送させる。
【考案の効果】
【０００６】
本考案によれば、該RFIDマルチメディアA/V放送モジュール100は放送機能だけではなく、映像/音声の記録機能を含むことも可能である。
【図面の簡単な説明】
【０００７】
【図１】本考案の１つの実施例により、一種のRFIDマルチメディアA/V放送モジュールを示す図である。
【図２】本考案の１つの実施例により、該RFIDマルチメディアA/V放送モジュールを示すフローチャートである。
【考案を実施するための形態】
【０００８】
図１に示すように、本考案の一実施例による一種のRFIDマルチメディアA/V放送モジュール100は、少なくとも1つの第一マルチメディア立体模型110と1つのマルチメディアA/V装置120を含む。
【０００９】
第一マルチメディア立体模型110は1つの第一RFIDタグ111を有し、第一RFIDタグ111の内には1つの第一マルチメディア放送シリアルデータが格納される。
【００１０】
マルチメディアA/V装置120は1つのRFID読み取り機121、1つのマルチメディアデータ処理ユニット122及び1つの放送ユニット123を有する。
【００１１】
次に、図2に示したものはRFIDマルチメディアA/V放送モジュール100のフローチャートである。
【００１２】
ステップ11において、少なくとも1つの第一マルチメディア立体模型110は提供され、第一マルチメディア立体模型110は1つの第一マルチメディア放送シリアルデータを格納する1つの第一RFIDタグ111を有する。
【００１３】
ステップ12において、１つのマルチメディアA/V装置120は提供され、このマルチメディアA/V装置120は、１つのRFID読み取り機121、１つのマルチメディアデータ処理ユニット122及び１つの放送ユニット123を有する。
【００１４】
ステップ13において、RFID読み取り機121は、第一マルチメディア放送シリアルデータを読み取り、さらにマルチメディアA/V装置120に適用するか否かを判別し、ここで、適用と判別されたら次のステップ14に続行する。
【００１５】
ステップ14において、RFID読み取り機121は第一マルチメディア放送シリアルデータをマルチメディアデータ処理ユニット122に伝送する。
【００１６】
また、ステップ15において、マルチメディアデータ処理ユニット122は、受信した第一マルチメディア放送シリアルデータを検索し、それと対応する第一マルチメディアデータを検出する。
【００１７】
本実施例において、マルチメディアデータ処理ユニット122は第一マルチメディア放送シリアルデータと対応する第一マルチメディアデータを格納し、この第一マルチメディアデータはRFIDマルチメディアA/V放送モジュール100の中に予め格納されている映像、写真または音声などのマルチメディアデータである。
【００１８】
なお、マルチメディアデータ処理ユニット122に第一マルチメディア放送シリアルデータと対応する第一マルチメディアデータが存在しない場合、マルチメディアA/V装置120は自動的に動作停止する。
【００１９】
逆に、マルチメディアデータ処理ユニット122に第一マルチメディア放送シリアルデータと対応する第一マルチメディアデータが存在すれば次のステップ16に続行する。
【００２０】
ステップ16において、第一マルチメディアデータはマルチメディアデータ処理ユニット122により放送ユニット123に伝送される。
【００２１】
次に、ステップ17において、放送ユニット123は受信した第一マルチメディアデータを放送し、ここで、放送完了の後に放送ユニット123は依然に第一マルチメディア放送シリアルデータを読み取れば、第一マルチメディアデータを再び放送する。
【００２２】
逆に、放送ユニット123は第一マルチメディア放送シリアルデータを読み取ることができなければ、マルチメディアA/V装置120は動作停止することになる。
【００２３】
ここで、放送ユニット123は１つの映像ディスプレイ装置または１つのスピーカであり、映像ディスプレイ装置はスクリーン、スピーカはラッパとなることができる。
【００２４】
なおまた、マルチメディアA/V装置120はさらに1つの発光ダイオード124(LED)を有し、この発光ダイオード124は、RFID読み取り機121が第一マルチメディア放送シリアルデータを読み取る時にユーザーに知らせるため発光するように利用される。
【００２５】
上述したように、RFID読み取り機121により、RFIDマルチメディアA/V放送モジュール100は、第一マルチメディア立体模型110の第一RFIDタグ111の内に格納される第一マルチメディア放送シリアルデータを直接に読み取り、そして、マルチメディアデータ処理ユニット122は自己検索することができるので、第一マルチメディア放送シリアルデータと対応する第一マルチメディアデータを検出して放送ユニット123に伝送し、放送ユニット123に第一マルチメディアデータを放送させる。
【００２６】
また、再び図1を参照して、マルチメディアA/V装置120はさらに１つの記録ユニット125を有し、この記録ユニット125は１つの第二マルチメディアデータを記録することができる。
【００２７】
本実施例において、第一マルチメディアデータと第二マルチメディアデータは、例えば映像、写真、音声などがあり、第二マルチメディアデータは、ユーザーが自己記録する映像、写真または音声などのマルチメディアデータになってもよい。
【００２８】
マルチメディアデータ処理ユニット122は第二マルチメディアデータを格納することができ、RFIDマルチメディアA/V放送モジュール100はさらに１つの第二マルチメディア立体模型130を有し、第二マルチメディア立体模型130は１つの第二RFIDタグ131を有し、第二RFIDタグ131は１つの第二マルチメディア放送シリアルデータを有する。
【００２９】
また、RFID読み取り機121は第二マルチメディア放送シリアルデータを読み取ることができ、さらにそれをマルチメディアデータ処理ユニット122に伝送する。
【００３０】
マルチメディアデータ処理ユニット122は受信した第二マルチメディア放送シリアルデータを検索し、それと対応する第二マルチメディアデータを検出して放送ユニット123に伝送する。
【００３１】
そして、放送ユニット123は受信した第二マルチメディアデータを放送する。
【００３２】
本実施例において、第二マルチメディアデータは、ユーザーが自己記録する映像、写真または音声などのマルチメディアデータであるので、マルチメディアA/V装置120により格納と放送されることが可能となる。
【００３３】
本実施例において、記録ユニット125には、例えばマイク、録音装置、カメラ、録画装置などを含む。
【００３４】
ここで、第一マルチメディア立体模型110と第二マルチメディア立体模型130を様々な形態、例えば汽車または玩具などにすることができる。
【００３５】
以上説明したように、本考案によれば、該RFIDマルチメディアA/V放送モジュール100は放送機能だけではなく、映像/音声の記録機能を含むことも可能である。
【００３６】
以上、本考案をその好適な実施例に基づいて説明したが、本考案の保護範囲は実用新案登録請求の範囲に限定されるものであり、この保護範囲を基準として、本考案の精神と範囲内に触れるどんな変更や修正も本考案の保護範囲に属する。
【符号の説明】
【００３７】
１１    少なくとも1つの第一マルチメディア立体模型は提供され、この第一マルチメディア立体模型は、1つの第一マルチメディア放送シリアルデータを格納する1つの第一RFIDタグを有する。
１２    １つのマルチメディアA/V装置は提供され、このマルチメディアA/V装置は、１つのRFID読み取り機、１つのマルチメディアデータ処理ユニット及び１つの放送ユニットを有する。
１３    RFID読み取り機は、第一マルチメディア放送シリアルデータを読み取る。
１４    第一マルチメディア放送シリアルデータをマルチメディアデータ処理ユニットに伝送する。
１５    第一マルチメディア放送シリアルデータを検索し、それと対応する第一マルチメディアデータを検出する。
１６    第一マルチメディアデータは放送ユニットに伝送される。
１７    放送ユニットは第一マルチメディアデータを放送する。
１００    RFIDマルチメディアA/V放送モジュール
１１０    第一マルチメディア立体模型
１１１    第一RFIDタグ
１２０    マルチメディアA/V装置
１２１    RFID読み取り機
１２２    マルチメディアデータ処理ユニット
１２３    放送ユニット
１２４    発光ダイオード
１２５    記録ユニット
１３０    第二マルチメディア立体模型
１３１    第二RFIDタグ
【図１】
0003154794.tif 000003
【図２】
0003154794.tif 000004
【手続補正書】
【提出日】平成21年8月17日(2009.8.17)
【手続補正１】
【補正対象書類名】実用新案登録請求の範囲
【補正対象項目名】全文
【補正方法】変更
【補正の内容】
【実用新案登録請求の範囲】
【請求項１】
少なくとも１つの第一マルチメディア立体模型と1つのマルチメディアA/V装置を含み、前記第一マルチメディア立体模型は１つの第一RFIDタグを有し、前記第一RFIDタグの内に１つの第一マルチメディア放送シリアルデータが格納され、前記マルチメディアA/V装置は１つのRFID読み取り機、１つのマルチメディアデータ処理ユニット及び１つの放送ユニットを有し、前記RFID読み取り機は前記第一マルチメディア放送シリアルデータを読み取って前記マルチメディアデータ処理ユニットに伝送し、前記マルチメディアデータ処理ユニットは受信した第一マルチメディア放送シリアルデータと対応する1つの第一マルチメディアデータを格納し、ここで、前記マルチメディアデータ処理ユニットは受信した第一マルチメディア放送シリアルデータを検索しそれと対応する前記第一マルチメディアデータを検出して前記放送ユニットに伝送し、そして、前記放送ユニットは受信した第一マルチメディアデータを放送することを特徴とするRFIDマルチメディアA/V放送モジュール。
【請求項２】
前記マルチメディアA/V装置は更に１つの記録ユニットを有し、この記録ユニットは１つの第二マルチメディアデータを記録することができ、前記マルチメディアデータ処理ユニットはこの第二マルチメディアデータを格納することを特徴とする請求項１記載のRFIDマルチメディアA/V放送モジュール。
【請求項３】
前記RFIDマルチメディアA/V放送モジュールはさらに１つの第二マルチメディア立体模型を含み、この第二マルチメディア立体模型は１つの第二RFIDタグを有し、この第二RFIDタグは１つの第二マルチメディア放送シリアルデータを有し、前記RFID読み取り機はこの第二マルチメディア放送シリアルデータを読み取って前記マルチメディアデータ処理ユニットに伝送し、前記マルチメディアデータ処理ユニットは受信した第二マルチメディア放送シリアルデータを検索しそれと対応する前記第二マルチメディアデータを検出して前記放送ユニットに伝送し、そして、前記放送ユニットは受信した第二マルチメディアデータを放送することを特徴とする請求項２記載のRFIDマルチメディアA/V放送モジュール。
【請求項４】
前記記録ユニットは、マイク、録音装置、カメラ、録画装置などを含むことを特徴とする請求項２記載のRFIDマルチメディアA/V放送モジュール。
【請求項５】
前記第一マルチメディアデータと前記第二マルチメディアデータは、映像、写真または音声などのマルチメディアデータであることを特徴とする請求項２記載のRFIDマルチメディアA/V放送モジュール。
【請求項６】
前記放送ユニットは、１つの映像ディスプレイ装置であることを特徴とする請求項１記載のRFIDマルチメディアA/V放送モジュール。
【請求項７】
前記放送ユニットは、１つのスピーカであることを特徴とする請求項１記載のRFIDマルチメディアA/V放送モジュール。
【請求項８】
前記マルチメディアA/V装置は、さらに１つの発光ダイオード(LED)を有することを特徴とする請求項１記載のRFIDマルチメディアA/V放送モジュール。